(57)【特許請求の範囲】
【請求項１】
ディスプレイの表示用制御手段に入力される画像出力用データの入力レベルと該ディスプレイに表示される画像の相対輝度との間に成立する表示特性関数について仮定を立て、
所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、
前記仮定により定まる表示特性関数に従ってディスプレイ上に発生させ、
その後、前記仮定を変更することによって前記判定用画像を更新しつつ該判定用画像が全体に均一な輝度となる状態を選択し、
該選択時に立てられている仮定により定まる表示特性関数を、当該ディスプレイの現状における表示特性関数として決定するディスプレイの表示特性関数決定方法。
【請求項２】
前記仮定の変更が階段的に実行されることを特徴とする請求項１記載のディスプレイの表示特性関数決定方法。
【請求項３】
ディスプレイの表示特性関数の候補として、予め、複数個の関数を定めておき、前記ディスプレイ固有の表示特性関数を決定する際には、前記選択時に立てられている仮定により定まる表示特性関数と前記複数個の候補とを比較して、候補中の最も近似した関数を当該ディスプレイの現状における表示特性関数として決定することを特徴とする請求項１記載のディスプレイの表示特性関数決定方法。
【請求項４】
ディスプレイの表示用制御手段に入力される画像出力用データの入力レベルと該ディスプレイに表示される画像の相対輝度との間に成立する表示特性関数について第１の仮定を立て、
所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、
前記第１の仮定により定まる表示特性関数に従ってディスプレイ上の第１の画面領域に発生させると同時に、該第１の仮定を変更した第２の仮定により定まる表示特性関数に従ってディスプレイ上の第２の画面領域に発生させ、
前記各判定用画像の中から、当該画面領域の全体がより均一に見える方の判定用画像を選択し、
該選択された判定用画像を発生させている方の仮定により定まる表示特性関数を、当該ディスプレイの現状における表示特性関数として決定するディスプレイの表示特性関数決定方法。
【請求項５】
ディスプレイの種類に応じて、前記表示特性関数に対して立てる仮定の選定条件を変更することを特徴とする請求項１〜４のいずれか記載のディスプレイの表示特性関数決定方法。
【請求項６】
前記階調パターンの単位升目の大きさ又は階調数を、使用されているディスプレイの解像度又は階調表示特性に応じて変更することを特徴とする請求項１〜５のいずれか記載のディスプレイの表示特性関数決定方法。
【請求項７】
前記ディスプレイ上に発生された判定用画像内の各単位升目を、当該判定用画像内で単位升目の連続する方向にスクロールさせることを特徴とする請求項１〜６のいずれか記載のディスプレイの表示特性関数決定方法。
【請求項８】
前記表示特性関数が指数関数であり、前記仮定は当該指数に関するものであることを特徴とする請求項１〜７のいずれか記載のディスプレイの表示特性関数決定方法。
【請求項９】
前記階調パターンは、１本のラスタ内で輝度を増加又は減少させることにより構成されていることを特徴とする請求項１〜８のいずれか記載のディスプレイの表示特性関数決定方法。
【請求項１０】
前記各階調パターンは、ループ状に単位升目を連ねてなり、前記最低輝度から前記最高輝度まで輝度を増加させた後、前記最高輝度から前記最低輝度まで輝度を減少させる様に輝度が増減する階調パターンであることを特徴とする請求項１〜８のいずれか記載のディスプレイの表示特性関数決定方法。
【請求項１１】
ディスプレイの表示用制御手段に入力される画像出力用データの入力レベルと表示される画像の相対輝度との間に成立する表示特性関数について仮定を立てる仮定設定手段と、
該表示特性関数についての仮定を変更する仮定変更手段と、
所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記仮定設定手段及び仮定変更手段により立てられている現在の仮定に従って前記ディスプレイ上に発生させる判定用画像発生手段と、
前記ディスプレイの表示特性関数を決定すべき旨の指令を与える決定指令手段と、
該決定指令手段により前記指令がなされたとき、現在の仮定により定まる表示特性関数を、前記ディスプレイの表示特性関数として決定して記憶しておくディスプレイ表示特性関数記憶手段と
を備えてなるディスプレイの表示特性関数決定装置。
【請求項１２】
ディスプレイの表示用制御手段に入力される画像出力用データの入力レベルと表示される画像の相対輝度との間に成立する表示特性関数について第１の仮定を立てる第１の仮定設定手段と、
該第１の仮定を変更した第２の仮定を立てる第２の仮定設定手段と、
所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記第１の仮定に従って前記ディスプレイ上の第１の画面領域に第１の判定用画像として発生させると同時に、前記第２の仮定に従って前記ディスプレイ上の第２の画面領域に第２の判定用画像として発生させる判定用画像発生手段と、
前記第１，第２の判定用画像のいずれかを選択する選択手段と、
該選択手段により選択された判定用画像を発生させた方の仮定により定まる表示特性関数を、前記ディスプレイの表示特性関数として記憶しておくディスプレイ表示特性関数記憶手段と
を備えてなるディスプレイの表示特性関数決定装置。
【請求項１３】
前記ディスプレイの種類を特定するディスプレイ種類特定手段と、
ディスプレイの種類に応じて、前記仮定設定手段による仮定の設定条件を記憶しておく仮定設定条件記憶手段とを備え、
前記仮定設定手段は、前記ディスプレイ種類特定手段の特定内容に応じて前記仮定設定条件記憶手段を照会して得られた仮定の設定条件に従って仮定を立てる手段として構成されることを特徴とする請求項１１又は１２記載のディスプレイの表示特性関数決定装置。
【請求項１４】
前記ディスプレイの解像度又は階調表示特性を特定するディスプレイ解像度等特定手段を備え、
前記判定用画像発生手段は、該特定される解像度又は階調表示特性に応じて、前記階調パターンの単位升目の大きさ又は階調数を変えて前記判定用画像を発生させる手段として構成されることを特徴とする請求項１１〜１３のいずれか記載のディスプレイの表示特性関数決定装置。
【請求項１５】
前記判定用画像発生手段の発生した判定用画像内の各単位升目を、該判定用画像内で単位升目の連続する方向にスクロールさせるスクロール表示手段を備えることを特徴とする請求項１１〜１４のいずれか記載のディスプレイの表示特性関数決定装置。
【請求項１６】
前記表示特性関数が指数関数であり、前記仮定は当該指数に関するものであることを特徴とする請求項１１〜１５のいずれか記載のディスプレイの表示特性関数決定装置。
【請求項１７】
前記階調パターンは、１本のラスタ内で輝度を増加又は減少させることにより構成されていることを特徴とする請求項１１〜１６のいずれか記載のディスプレイの表示特性関数決定装置。
【請求項１８】
前記各階調パターンは、ループ状に単位升目を連ねてなり、前記最低輝度から前記最高輝度まで輝度を増加させた後、前記最高輝度から前記最低輝度まで輝度を減少させる様に輝度が増減する階調パターンであることを特徴とする請求項１１〜１７のいずれか記載のディスプレイの表示特性関数決定装置。
【請求項１９】
ディスプレイとプリンタとを備えると共に、請求項１１〜１８のいずれか記載のディスプレイの表示特性関数決定装置を備え、
前記プリンタの印字用制御手段に対して画像出力用データが入力されるとき、当該画像出力用データの入力レベルを、前記ディスプレイ表示特性関数記憶手段の記憶している表示特性関数に基づいて補正し、前記プリンタにより印刷される画像を前記ディスプレイに表示される画像に略一致させるプリンタ入力データ補正手段と
を備えてなるプリンタシステム。
【請求項２０】
ディスプレイ表示特性を表すγ値を仮定するγ値仮定手段と、
該仮定したγ値の増減を指令するγ値増減指令手段と、
前記γ値仮定手段及びγ値増減指令手段により現在仮定されているγ値に基づき、右から左に所定の最低輝度から所定値ずつ相対輝度が増加する第１のラスタと、左から右に前記最低輝度から前記所定値ずつ相対輝度が増加する第２のラスタとを、前記第１のラスタの最高輝度の部分と第２のラスタの最低輝度の部分とが上下に隣合う様に、前記第１，第２のラスタを交互に並べてなる判定用画像をディスプレイに表示する判定用画像表示手段と、
ディスプレイのγ値を決定すべき旨の指令をするγ値決定指令手段と、
該γ値決定指令手段によりγ値を決定すべき旨の指令がなされた時点で仮定されているγ値を、当該ディスプレイのγ値として記憶するγ値記憶手段と
を備えてなるディスプレイのγ値決定装置。
【請求項２１】
前記判定用画像表示手段は、特定の輝度の部分が各ラスタ内でラスタの伸びる方向にスクロールするように、輝度の変化の状態をラスタの伸びる方向に連続的にずらしながら前記表示を続ける様に構成されていることを特徴とする請求項２０又は２０記載のディスプレイのγ値決定装置。
【請求項２２】
前記γ値増減指令手段は、ディスプレイ上に表示されるスクロールバーのスクロール位置に応じてγ値の増減を指令する手段として構成されることを特徴とする請求項２０又は２１記載のディスプレイのγ値決定装置。
【請求項２３】
ディスプレイとプリンタとを備えると共に、請求項２０〜２２のいずれか記載のディスプレイのγ値決定装置を備え、
前記プリンタの印字用制御手段に対して画像出力用データが入力されるとき、当該画像出力用データの入力レベルを、前記γ値記憶手段の記憶しているγ値に基づいて補正し、前記プリンタにより印刷される画像を前記ディスプレイに表示される画像に一致させるプリンタ入力データ補正手段と
を備えてなるプリンタシステム。
【発明の詳細な説明】
【０００１】
【発明の属する技術分野】
本発明は、ディスプレイとプリンタとを備えるシステムにおいてディスプレイの表示画像とプリンタの印刷画像の色合いや明るさ等の見た目を一致させるための技術に関する。
【０００２】
【従来の技術】
パーソナルコンピュータにてカラー画像の編集と印刷とを行う場合、図２２に示す様に、パーソナルコンピュータＡにカラーディスプレイＢとカラープリンタＣとを接続したシステムが用いられることがある。
【０００３】
ユーザーは、アプリケーションＡ０を利用して、ディスプレイドライバＡ１への入力値Ｘを変更しながらディスプレイＢ上に所望の色を表示させる。そして、所望の色になったところで、カラープリンタＣを起動して印刷を実行する。このとき、プリンタドライバＡ２へは画面編集の結果決定された入力値Ｘが入力され、これに基づいて印刷が行われる。
【０００４】
今、入力値ＸによりディスプレイＢ上に表示される色をＹｄとし、カラープリンタＣで印刷される色をＹｐとすると、Ｙｄ＝Ｙｐとなることが望ましい。
しかし、ディスプレイＢは、一般に、図２３に示すような非線形の表示特性を有しており、しかも、ディスプレイＢはＲ（レッド）、Ｇ（グリーン）、Ｂ（ブルー）で色を構成するのに対し、プリンタＣはＹ（イエロー）、Ｍ（マゼンタ）、Ｃ（シアン）、Ｋ（ブラック）で色を構成するため、ディスプレイＢとプリンタＣでの色の整合性を図るには非常に複雑な問題がある。
【０００５】
ここで、ディスプレイの非線形表示特性について述べると、一般に、図２３において相対輝度が０でなくなる入力値Ｘ＝ＢＰはブラックポイントと呼ばれ、入力値Ｘ及び相対輝度Ｙｄの最大最小が０〜２５５で表されるとすると、ディスプレイの表示特性は、例えば、下記の指数関数で近似できることが知られている。
【０００６】
【数１】
0003591129.tif 000002
【０００７】
従って、ディスプレイの表示特性を把握するには、このブラックポイントＢＰと指数γとが求められればよいことになる。ところで、このＢＰ及びγは、ディスプレイのコントラストボリュームや、Ｒ，Ｇ，Ｂの各ボリューム等を操作することによって変化するし、周囲の環境や見る人の感覚によっても多少のずれが生じる。
【０００８】
従来、例えば、特開平６−３５４３０号公報に記載されているように、グリッドパターンを表示してディスプレイの表示特性関数を求める方法が知られている。
【０００９】
【発明が解決しようとする課題】
この従来の方法では、図２４（ａ）に示す様に、Ｘ＝０のグリッドとＸ＝２５５のグリッドとを半々に配置した輝度固定画像を表示し、その横に、Ｘｖａｒｉ＝可変の輝度可変画像を表示し、両方の輝度のイメージが一致したときの輝度可変画像の入力値Ｘｖａｒｉを５０％輝度を与える入力値Ｘ５０として求める。そして、同様に、（Ｘ＝０のグリッド）：（Ｘ＝２５５のグリッド）＝１：３となる輝度固定画像と輝度可変画像とを表示して２５％輝度を与える入力値Ｘ２５を求め、また、（Ｘ＝０のグリッド）：（Ｘ＝２５５のグリッド）＝３：１となる輝度固定画像と輝度可変画像とを表示して７５％輝度を与える入力値Ｘ７５を求め、図示（ｂ）に示す様に、ブラックポイントＢＰ＝Ｘ０  の４点を通る関数として表示特性関数を近似する方法である。
【００１０】
この方法では、グレー同士の一致を判定するという作業となり、輝度固定画像はグリッドパターンにおける黒い部分と白い部分の混ざり具合いによって表現されたグレーなのに対し、輝度可変領域はベタ塗りのグレーであって、表示方法が異なるため、一致したか否かの判定がやり難いという問題がある。
【００１１】
また、複数の点を求めて近似する方法であるため、何度も判定作業を繰り返す必要があり、手続が煩雑になるという問題もある。
そこで、本発明は、表示特性関数をより求め易くすることを目的とする。
【００１２】
【課題を解決するための手段、発明の実施の形態及び発明の効果】
上記目的を達成するためになされた本発明は、ディスプレイの表示用制御手段に入力される画像出力用データの入力レベルと該ディスプレイに表示される画像の相対輝度との間に成立する表示特性関数について仮定を立て、所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記仮定により定まる表示特性関数に従ってディスプレイ上に発生させ、その後、前記仮定を変更することによって前記判定用画像を更新しつつ該判定用画像が全体に均一な輝度となる状態を選択し、該選択時に立てられている仮定により定まる表示特性関数を、当該ディスプレイの現状における表示特性関数として決定するディスプレイの表示特性関数決定方法にある。
【００１３】
この方法によると、判定用画像は、全体に同じ表示形式であるから判定がし易く、均一な輝度となる状態を１回選べば、これによって表示特性関数が決定できるので、手続がきわめて簡単になる。
この方法は、ディスプレイの表示用制御手段に入力される画像出力用データの入力レベルと表示される画像の相対輝度との間に成立する表示特性関数について仮定を立てる仮定設定手段と、該表示特性関数についての仮定を変更する仮定変更手段と、所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記仮定設定手段及び仮定変更手段により立てられている現在の仮定に従って前記ディスプレイ上に発生させる判定用画像発生手段と、前記ディスプレイの表示特性関数を決定すべき旨の指令を与える決定指令手段と、該決定指令手段により前記指令がなされたとき、現在の仮定により定まる表示特性関数を、前記ディスプレイの表示特性関数として決定して記憶しておくディスプレイ表示特性関数記憶手段とを備えてなるディスプレイの表示特性関数決定装置により実施することができる。
【００１４】
ここで、上記の方法において、前記仮定の変更が階段的に実行されるようにしておくことができる。ある程度変化にステップを持たせることで判定をし易くしようというものである。
また、上記の方法において、ディスプレイの表示特性関数の候補として、予め、複数個の関数を定めておき、前記ディスプレイ固有の表示特性関数を決定する際には、前記選択時に立てられている仮定により定まる表示特性関数と前記複数個の候補とを比較して、候補中の最も近似した関数を当該ディスプレイの現状における表示特性関数として決定するようにしてもよい。これは、表示特性関数をあまりに細かく決定しても意味がないから、いくつかの候補のどれかで近似しておこうとするものである。特に、表示特性関数の決定には、周囲の環境やユーザーの光感受性が大きな影響を有するので、その時々によって微妙に結果が違ってくることがある。従って、こうした微妙な結果の違いが反映されてしまうよりは、いくつかの候補の中から選ぶ方法をとる方が、結果の安定度が高く、より好ましい場合がある。上記方法は、こうした点を考慮したものである。
【００１５】
また、本発明は、他の方法として、ディスプレイの表示用制御手段に入力される画像出力用データの入力レベルと該ディスプレイに表示される画像の相対輝度との間に成立する表示特性関数について第１の仮定を立て、所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記第１の仮定により定まる表示特性関数に従ってディスプレイ上の第１の画面領域に発生させると同時に、該第１の仮定を変更した第２の仮定により定まる表示特性関数に従ってディスプレイ上の第２の画面領域に発生させ、前記各判定用画像の中から、当該画面領域の全体がより均一に見える方の判定用画像を選択し、該選択された判定用画像を発生させている方の仮定により定まる表示特性関数を、当該ディスプレイの現状における表示特性関数として決定するディスプレイの表示特性関数決定方法も完成している。
【００１６】
この方法では、複数の判定用画像のどれが一番均一に見えるかを判定させることになる。この場合、複数の判定用画像の表示形式は同じであるから、比較し易く、従来の方法に比べて判定が易しい点は最初に説明した方法と同様である。
この方法は、ディスプレイの表示用制御手段に入力される画像出力用データの入力レベルと表示される画像の相対輝度との間に成立する表示特性関数について第１の仮定を立てる第１の仮定設定手段と、該第１の仮定を変更した第２の仮定を立てる第２の仮定設定手段と、所定の最低輝度から所定の最高輝度まで相対輝度を所定値ずつ連続的に変化させた多数の単位升目を連ねてなる第１の階調パターンと、該第１の階調パターンと並行して伸び、該第１の階調パターンと反対方向に向かって前記最低輝度から前記最高輝度まで前記所定値ずつ連続的に相対輝度を変化させた多数の単位升目を連ねてなる第２の階調パターンとを、前記第１の階調パターンの最高輝度の升目と前記第２の階調パターンの最低輝度の升目とが隣接するように交互に多数並べた判定用画像を、前記第１の仮定に従って前記ディスプレイ上の第１の画面領域に第１の判定用画像として発生させると同時に、前記第２の仮定に従って前記ディスプレイ上の第２の画面領域に第２の判定用画像として発生させる判定用画像発生手段と、前記第１，第２の判定用画像のいずれかを選択する選択手段と、該選択手段により選択された判定用画像を発生させた方の仮定により定まる表示特性関数を、前記ディスプレイの表示特性関数として記憶しておくディスプレイ表示特性関数記憶手段とを備えてなるディスプレイの表示特性関数決定装置によって実現することができる。
【００１７】
なお、これらの方法において、ディスプレイの種類に応じて、前記表示特性関数に対して立てる仮定の選定条件を変更するようにしておくと一層よい。これは、ＣＲＴディスプレイと液晶ディスプレイで表示特性関数がかなり違っている様に、ディスプレイの種類に応じて仮定を立てるのが妥当だからである。
【００１８】
この方法を実施するには、上述の各装置において、前記ディスプレイの種類を特定するディスプレイ種類特定手段と、ディスプレイの種類に応じて、前記仮定設定手段による仮定の設定条件を記憶しておく仮定設定条件記憶手段とを備え、前記仮定設定手段は、前記ディスプレイ種類特定手段の特定内容に応じて前記仮定設定条件記憶手段を照会して得られた仮定の設定条件に従って仮定を立てる手段として構成されるようにするとよい。
【００１９】
また、これらの各方法において、前記階調パターンの単位升目の大きさや階調数を、使用されているディスプレイの解像度又は階調表示特性に応じて変更するようにするとよい。これは、ディスプレイとその表示制御手段の種類によって、表示解像度や表示可能階調レベルが異なるので、それらの相違を考慮して単位升目の大きさを変更してやることによって、いつも、同じ様な大きさで輝度変化の粗さも同じ様な判定用画像を用いることができるからである。
【００２０】
この方法を実施するには、上述の装置において、前記ディスプレイの解像度又は階調表示特性を特定するディスプレイ解像度等特定手段を備え、前記判定用画像発生手段は、該特定される解像度又は階調表示特性に応じて、前記階調パターンの単位升目の大きさ又は階調数を変えて前記判定用画像を発生させる手段として構成されるようにするとよい。
【００２１】
また、これらの各方法において、前記ディスプレイ上に発生された判定用画像内の各単位升目を、当該判定用画像内で単位升目の連続する方向にスクロールさせるとよい。こうすることで、判定用画像の中で明暗変化が動いて見えるときは輝度が均一でないと判定でき、逆に判定用画像がほぼ完全に静止しているように見える場合には輝度が均一であると判定することができる。これにより、判定が一層容易かつ正確になる。この方法を実施するには、上述の装置において、前記判定用画像発生手段の発生した判定用画像内の各単位升目を、該判定用画像内で単位升目の連続する方向にスクロールさせるスクロール表示手段を備えるようにするとよい。
【００２２】
なお、これらの各方法及び装置において、例えば、前記表示特性関数が指数関数であり、前記仮定は当該指数に関するものとすることができる。ブラックポイント自体は、別途求めておけばよい。
また、これら各方法及び装置において、前記階調パターンは、１本のラスタ内で輝度を増加又は減少させることにより構成されているものを用いるとよい。ディスプレイ表示はラスタ走査によって行われるので、このラスタを階調パターンに用いてやれば判定用画像を簡単に形成できるからである。
【００２３】
また、上記の各方法及び装置において、前記各階調パターンは、ループ状に単位升目を連ねてなり、前記最低輝度から前記最高輝度まで輝度を増加させた後、前記最高輝度から前記最低輝度まで輝度を減少させる様に輝度が増減する階調パターンを用いるとよい。こうすることで、端がなくなり、均一か否かの判定が一層やり易くなるからである。
【００２４】
本発明は、また、これら上述したディスプレイの表示特性関数決定装置の特徴をもっぱら使用するものとして、これら表示特性関数決定装置を備え、前記プリンタの印字用制御手段に対して画像出力用データが入力されるとき、当該画像出力用データの入力レベルを、前記ディスプレイ表示特性関数記憶手段の記憶している表示特性関数に基づいて補正し、前記プリンタにより印刷される画像を前記ディスプレイに表示される画像に略一致させるプリンタ入力データ補正手段とを備えてなるプリンタシステムとして利用することができる。
【００２５】
また、本発明は、ディスプレイ表示特性を表すγ値を仮定するγ値仮定手段と、該仮定したγ値の増減を指令するγ値増減指令手段と、前記γ値仮定手段及びγ値増減指令手段により現在仮定されているγ値に基づき、右から左に所定の最低輝度から所定値ずつ相対輝度が増加する第１のラスタと、左から右に前記最低輝度から前記所定値ずつ相対輝度が増加する第２のラスタとを、前記第１のラスタの最高輝度の部分と第２のラスタの最低輝度の部分とが上下に隣合う様に、前記第１，第２のラスタを交互に並べてなる判定用画像をディスプレイに表示する判定用画像表示手段と、ディスプレイのγ値を決定すべき旨の指令をするγ値決定指令手段と、該γ値決定指令手段によりγ値を決定すべき旨の指令がなされた時点で仮定されているγ値を、当該ディスプレイのγ値として記憶するγ値記憶手段とを備えてなるディスプレイのγ値決定装置としても完成されている。
【００２６】
そして、このγ値決定装置において、前記判定用画像表示手段は、特定の輝度の部分が各ラスタ内でラスタの伸びる方向にスクロールするように、輝度の変化の状態をラスタの伸びる方向に連続的にずらしながら前記表示を続ける様に構成しておくとよく、また、前記γ値増減指令手段は、ディスプレイ上に表示されるスクロールバーのスクロール位置に応じてγ値の増減を指令する手段として構成されるようにするとよい。
【００２７】
そして、これら本発明のディスプレイのγ値決定装置を備え、前記プリンタの印字用制御手段に対して画像出力用データが入力されるとき、当該画像出力用データの入力レベルを、前記γ値記憶手段の記憶しているγ値に基づいて補正し、前記プリンタにより印刷される画像を前記ディスプレイに表示される画像に一致させるプリンタ入力データ補正手段とを備えてなるプリンタシステムとしてもまた完成されている。
【００２８】
以下、本発明の実施の形態を一層分かりやすくするため、いくつかの実施例を図面と共に説明する。
【００２９】
【実施例】
［第１実施例］
本実施例のシステムとして、図１（ａ）に示す様に、パーソナルコンピュータ１とカラーディスプレイ２とを接続したシステムを用いる。パーソナルコンピュータ１には、キーボード３、マウス４、ハードディスク５及びカラープリンタ６が接続されている。また、パーソナルコンピュータ１には、表示特性関数決定のためのプログラムや、この決定結果に基づいて実施される印刷時補正プログラムなどがインストールされている。パーソナルコンピュータ１の内部を機能部分に分けて記すと、同図（ｂ）の様に、アプリケーション１ａ、ディスプレイドライバ１ｂ及ぶプリンタドライバ１ｃによって構成されている。
【００３０】
このプログラムが起動されると、まず、図２に示す様なＢＰ判定画像１０を用いてブラックポイント決定プログラムが実行される。この画面についてもう少し説明すると、ＢＰ判定画像１０は、中心の帯の部分１１と、その両側の帯の部分１２の二つの領域から構成されている。そして、ＢＰ判定画像１０の下にはスクロールバー１３が表示される。このスクロールバー１３のスライダ−１３ａはマウス４によって左右にスライドすることができる。なお、以下の説明においては、中心の帯の部分１１を「比較輝度領域１１」といい、その周囲の帯の部分１２を「基準輝度領域１２」という。また、比較輝度領域１１に対する入力値をＸｃｍｐｒで表し、基準輝度領域１２に対する入力値をＸｂａｓｅで表す。なお、この内、Ｘｂａｓｅは０に固定されており、Ｘｃｍｐｒは０〜２５５まで２５６段階で値を変更できるようになっている。基準輝度領域１２は、Ｒ＝Ｇ＝Ｂ＝Ｘｂａｓｅで各ピクセルが発光させられるので、結果としてこのディスプレイ２における最低輝度＝ブラックを表示することとなる。
【００３１】
ブラックポイント決定プログラムは、図３の様に構成され、起動直後は、Ｘｂａｓｅ＝Ｘｃｍｐｒ＝０を設定し（Ｓ１０）、基準輝度領域１２の各ピクセルをＲ＝Ｇ＝Ｂ＝Ｘｂａｓｅで発光させると共に、比較輝度領域１１の各ピクセルをＲ＝Ｇ＝Ｂ＝Ｘｃｍｐｒで発光させる（Ｓ２０，Ｓ３０）。これにより、最初は、全体が真っ黒のＢＰ判定画像１０が表示される。
【００３２】
次に、マウス４の操作状態を読み込み（Ｓ４０）、ユーザーにより「ＯＫ」を意味するボタン操作がなされたか否かを判定する（Ｓ５０）。そして、「ＯＫ」のボタン操作がなされるまでは、スライダー１３ａの相対的なスライド量αを読み込み（Ｓ６０）、当該スライド量αに基づいてＸｃｍｐｒを更新する（Ｓ７０）。なお、αは左方向にスライダー１３ａがスライドされたときはマイナスの値となる。また、本実施例では、Ｘｃｍｐｒ≦１２８でガードが掛けられている（Ｓ８０，Ｓ９０）。一般に、ＢＰは０に近い小さい値であるので、不必要なレンジまで可変範囲を持つ必要がないためである。
【００３３】
そして、「ＯＫ」を意味するボタン操作があったら、このときのＸｃｍｐｒの値をブラックポイントＢＰとして決定し（Ｓ１００）、ハードディスク５に書き込んで記憶しておく（Ｓ１１０）。
こうしてブラックポイント決定プログラムが実行された後で、次に、γ値決定プログラムが実行される。このγ値決定プログラムについて説明する前に、その考え方を説明する。
【００３４】
まず、ディスプレイのγ特性が、図４の第１象限に示す様なものとして既知であったと仮定する。ここで、第２象限に示す様に、入力値Ｘｓに対して相対輝度ＹｄがＹｄ＝Ｘｓの関係を満たすようになるためのＸｓとＸａの間に成立する補正関数を求める（この場合、Ｘｓが０≦Ｘｓ≦２５５でＹｄも０≦Ｙｄ≦２５５として扱うことが前提）。この補正関数は第３象限に示す様に求められる。
【００３５】
具体的には、ディスプレイのγ特性が、
【００３６】
【数２】
0003591129.tif 000003
【００３７】
で表されるとき、この関数を逆にＸについて解くと、
【００３８】
【数３】
0003591129.tif 000004
【００３９】
となり、ここで、Ｙｄ＝Ｘｓを代入すると共に、Ｘ＝Ｘａとおけば、
【００４０】
【数４】
0003591129.tif 000005
【００４１】
となり、ＢＰとγが判明すればこのディスプレイについての補正関数が求められることが分かる。そして、この補正関数が求められれば、図５（ａ）に示す様に直線的に相対輝度が変化する階調パターン２０を発生させることができるようになる。この実施例では、階調パターン２０は、２５６個の単位升目２１０  ，２１１  ，…，２１２５５  が連続的に並び、各単位升目は、左から順番に相対輝度Ｙｄ＝０，１，２，…，２５５となるパターンである。
【００４２】
そして、この階調パターン（以下、「第１の階調パターン」という）２０と、これと明暗を完全に反転させた第２の階調パターン３０（図５（ｂ）参照）とを交互に並べた画像を発生させると（図５（ｃ）参照）、全体の輝度が均一に見えるはずである。つまり、上下に見たとき、全ての列において、相対輝度が（０＋２５５）／２＝（１＋２５４）／２＝（２＋２５３）／２＝・・・＝（２５５＋０）／２＝１２７．５となるからである。なお、図５は模式的に記載してあるので、各階調パターンは非常に太い帯のようであるが、実施例では、各階調パターン２０，３０をそれぞれ１本のラスタ内において発生させるようにしている。また、各単位升目２１０  ，３１０  等についても、１画素ずつの小さな升目を用いている。従って、数４に対して立てた仮定が正しければ、図５（ｃ）に対応する実際の画像は、全体にほぼ完全に均一な輝度のものとしてユーザーの目に写ることとなる。
【００４３】
この関係を模式的に示すと図６（ａ）の様になる。即ち、左から右へと相対輝度が直線的に変化する第１の階調パターン２０とこれを反転させた第２の階調パターン３０を交互にならべると、階調パターンの左端から右端まで、全体に平均輝度は一律となるのである。
【００４４】
これに対し、図６（ｂ），（ｃ）に示す様に、各階調パターンの相対輝度の変化が直線的でない場合には、中央が暗く見えたり、逆に中央が明るく見えたりする。
これらの関係から、図６（ａ）の様に見える様に補正関数のγ値を決定すれば、数２のディスプレイの表示特性関数が決定できるのである。なお、ＢＰは、上述の様に図２の如き判定画像を用いて簡単に特定できているので、γ値を以下の様にして決定するのである。
【００４５】
γ値決定プログラムにおいては、図７に示す様に、まず、γ＝１．０と仮定して（Ｓ２１０）、この仮定と、ＢＰと、Ｘｓ＝０，１，２，…，２５５とを数４に代入して各階調パターン２０，３０の各単位升目２１０  〜２１２５５  に対して与えるべき入力値Ｘａを算出する（Ｓ２２０）。そして、この算出結果に基づいて、各単位升目をＲ＝Ｇ＝Ｂ＝Ｘａで発光させ、図８に示す様なγ値判定用画像４０と、スクロールバー４１をディスプレイ画面に表示する（Ｓ２３０）。なお、図８では、模式的に、各階調パターン２０，３０内の黒い三角形の帯の高さが高いほど相対輝度が低いことを意味している。
【００４６】
こうしてγ値判定用画像４０を表示したら、マウス４の操作状態を読み込み（Ｓ２４０）、ユーザーにより「ＯＫ」を意味するボタン操作がなされたか否かを判定する（Ｓ２５０）。そして、「ＯＫ」のボタン操作がなされるまでは、スライダー４１ａの相対的なスライド量βを読み込み（Ｓ２６０）、当該スライド量βに基づいてγを更新する（Ｓ２７０）。なお、βは左方向にスライダー４１ａがスライドされたときはマイナスの値となる。また、本実施例では、不必要に可変レンジを広げないために、０．０１≦γ≦４．０となるようにガードが掛けられている（Ｓ２８０〜Ｓ３１０）。
【００４７】
そして、「ＯＫ」を意味するボタン操作があったら、このときのγの値をγ値として決定し（Ｓ３２０）、ハードディスク５に書き込んで記憶しておく（Ｓ３３０）。
以上の様にして、ディスプレイの表示特性関数が決定できたら、これに基づいて、印刷時補正が実行される。
【００４８】
印刷時補正は、図９に示す様に、ハードディスク５から、ＢＰ及びγを読み出し（Ｓ４１０）、これらＢＰとγをアプリケーション１ａから出力された指令値Ｘｓと共に数４に代入して補正入力値Ｘａを算出する（Ｓ４２０）。そして、この補正入力値Ｘａをプリンタ６の発色特性に基づいて補正し（Ｓ４３０）、プリンタ６に出力する（Ｓ４４０）。なお、プリンタ６の発色特性は、予め設定されたものを用いる。
【００４９】
以上の様に構成することにより、本実施例のプリンタシステムでは、ディスプレイ２の表示色とプリンタ６の印刷色とがよく一致し、ユーザーのイメージ通りの配色で画像編集作業を実行することができる。また、そのためのγ値決定は、均一な表示形態による判定画像４０を用いて行うので、判断がし易く、精度のよい決定を可能にしている。
【００５０】
［第２実施例］
次に、第２実施例を説明する。第２実施例は、ブラックポイント決定方法については上述の第１実施例と全く同じ構成となっている。γ値決定プログラムに変えて、図１０に示す処理が実行される様に構成されている。
【００５１】
この第２実施例においては、まず、ユーザーにディスプレイのタイプを選択させる（Ｓ５１０）。そして、ＣＲＴが選択された場合には、第１実施例で説明した数４を補正関数として選択し（Ｓ５２０）、第１実施例のＳ２１０〜Ｓ３４０と同様の処理からなるγ値決定プログラムを実行する（Ｓ５３０）。
【００５２】
一方、ＬＣＤが選択された場合には、図１１の表示特性関数に対する補正関数を選択する（Ｓ５４０）。この場合、ＬＣＤの表示特性関数は、以下の様に表されることになる。
【００５３】
【数５】
0003591129.tif 000006
【００５４】
そして、補正関数は、上記数５をＸについて解いて、Ｘ＝Ｘａ，Ｙ＝Ｘｓを代入したものとなり、下記数６の様に書き表される。
【００５５】
【数６】
0003591129.tif 000007
【００５６】
そして、Ｘ１，Ｘ２，Ｙ１，Ｙ２に対してそれぞれ仮定を与え（Ｓ５５０）、以後、スクロールバー４１のスライダー４１ａの動きを検出して図１２に示す様に、（６−２）式の傾きを一定に保ってＸ１，Ｘ２，Ｙ１，Ｙ２を増減し、ＯＫが操作されたときのこれらの値をもって確定するＬＣＤ用表示特性決定処理を実行する（Ｓ５６０）。この実施例によれば、ディスプレイの種類に応じて適切な表示特性関数を決定することができる。
【００５７】
［第３実施例］
この実施例は、第１実施例とほぼ同様であるが、図１３に示す様に、γ値決定の際のＳ２７０の処理部分において、スライダー４１ａの動きに対して、階段状にしかγ値の仮定が変化しないようにしたものである。こうすることで、スライダー４１ａの動きに合わせてγ値判定用画像４０が階段状に変化し、第１実施例の様に連続的に微妙に変化する場合よりも、かえってγ値が決定し易くなる。
【００５８】
［第４実施例］
この実施例も、第１実施例とほぼ同様であるが、図１４に示す様に、Ｓ３２０に変えて、ＯＫ時のγ値の小数点以下２桁目を四捨五入して（Ｓ３２５）、これをハードディスク５に書き込んでγ値として記憶しておく（Ｓ３３０）。即ち、結果的にいえば、γ＝０．１，０．２，…，３．９，４．０と、予め０．１刻みで定めておいたγ値候補の中からγ値を決定することとなっているのである。この様に構成することで、微妙な変化を切り捨てて、ある程度安定した形でγ値を決定することができる。
【００５９】
［第５実施例］
この実施例は、γ値決定プログラムとして次の様なプログラムを採用したものである。
図１５に示す様に、まず、γ＝１．００と仮定し（Ｓ６１０）、γ＝γ−０．０５に対応するγ値判定用画像４０（−０．０５）  、γ＝γ±０に対応するγ値判定用画像４０（±０）  と、γ＝γ＋０．０５に対応するγ値判定用画像４０（＋０．０５）  とを、それぞれ、図１６に示す様に並べて画面に表示する（Ｓ６２０）。そして、これら３つの画像のどれが最も均一に見えるかを問い合わせ（Ｓ６３０）、まん中が選択された場合には、現在仮定されているγをこのディスプレイのγ値として決定し（Ｓ６４０）、この値をハードディスク５に記録する（Ｓ６５０）。一方、右側の画像が選ばれた場合にはγ＝γ＋０．０５と仮定を変更し（Ｓ６６０）、左側の画像が選ばれた場合にはγ＝γ−０．０５と仮定を変更し（Ｓ６７０）、Ｓ６２０の処理に戻る。
【００６０】
こうして、この実施例によれば、γに対する仮定と、この仮定を変更した仮定によるそれぞれの判定画像とを並べて表示し、より均一に見える方の画像を選択させながらγ値を決定することができる。２以上の判定用画像を対比するやり方になるので、慣れないユーザーには特に決定操作を行い易くなっている。
【００６１】
［第６実施例］
この実施例は、γ値決定プログラムとして次の様なプログラムを採用したものである。
この第６実施例においては、図１７に示す様に、まず、ユーザーにディスプレイのタイプを選択させる（Ｓ７１０）。この選択に当たっては、画面に、ディスプレイリストを表示し、該当するものにカーソルを合わせて確定操作することによって選択できるように構成しておく。
【００６２】
ディスプレイが選択されたら、ディスプレイリストと共に予め登録してあるディスプレイ解像度情報の中から該当するディスプレイの解像度を検索する（Ｓ７２０）。次に、標準解像度との比を計算し（Ｓ７３０）、この比に基づいて、階調パターンの個々の単位升目の大きさを決定する（Ｓ７４０）。後は、第１実施例のＳ２１０〜Ｓ３４０と同様の処理からなるγ値決定処理を実行する（Ｓ７５０）。
【００６３】
この実施例によれば、ディスプレイの解像度に応じて最適な階調パターンを発生させることができ、どの様なディスプレイであってもその表示特性を適切に決定することができる。
なお、ディスプレイの解像度や階調表示特性に応じた階調パターンの決定方法としては、上記の様に標準解像度のディスプレイに対する解像度比で決定するのではなく、▲１▼  既定の複数種類の画面解像度に応じて最適な大きさ及び並びの判定用画像を定めておき、この中から最も近い画面解像度のものを選択するようにしたり、▲２▼  既定の複数の画面階調に応じて最適な濃淡変化を持った判定用画像を定めておき、ディスプレイの階調情報を取得して、その階調に最適なものを選択するようにしてもよい。
【００６４】
［第７実施例］
この実施例では、γ値決定プログラムを実行する際の階調パターン２０，３０として、図１８に示す様に、リング状に両端がつながったものを用いる。この場合、１個の階調パターンの中で、Ｙｄ＝０から２５５まで増加したら逆にＹｄ＝２５５から０まで減少して元のＹｄ＝０に接続されるように各単位升目が並べられる。この実施例によれば、γ値判定用画像４０に両端がなくなるので、全体の不均一さが発見し易くなる。
【００６５】
［第８実施例］
この実施例では、γ値決定プログラムを実行する際のγ値判定用画像４０として、図１９に示す様に、各ラスタ内で単位升目がラスタの伸びる方向にロータリーにスクロールするようにしたものを用いる。
【００６６】
具体的には、第１実施例のＳ２３０の画面表示の具体的内容として、図２０に示す様に、まず、第１の階調パターン２０については左端の単位升目の相対輝度を０として右端の単位升目の相対輝度を２５５とするように、また第２の階調パターン３０については、その逆に、左端の単位升目の相対輝度を２５５として右端の単位升目の相対輝度を０とするように、それぞれの階調パターンを発生させる（Ｓ２３１，Ｓ２３２）。そして、一定のインターバルにおいて（Ｓ２３３）、第１の階調パターン２０については各単位升目の相対輝度をデクリメントしてパターンを発生させると共に（Ｓ２３４）、第２の階調パターンについては逆に相対輝度をインクリメントしてパターンを発生させる（Ｓ２３５）。このＳ２３３以下の処理が、γ値の仮定が変更されるまで所定のラスタ走査タイミング毎に繰り返し実行される。なお、Ｓ２３４の処理は相対輝度をデクリメントして−１となるときは強制的に２５５とするようにルール化されており、Ｓ２３５の処理は、相対輝度をインクリメントして２５６となるときは強制的に０にするようにルール化されている。
【００６７】
この実施例によれば、明暗が均一でないときは、縦縞がスクロールするように見えることとなり、動的な効果によって均一でない状態を判定し易くなる。
なお、上述の実施例では、相対輝度０で表示されていた単位升目が次のタイミングでは相対輝度２５５となるようなスクロールを行っているが、図２１に示す様に、図示黒矢印の位置を中心に、第１の階調パターン２０では左右へ向かって相対輝度が増加し、第２の階調パターン３０では左右へ向かって相対輝度が減少するようにスクロールさせるようにすると、スクロール方向のつなぎ目が感じられなくなって一層均一度の判定がし易くなる。
【００６８】
以上本発明のいくつかの実施例について説明してきたが、本発明は何らこの実施例に限定されるものではなく、その要旨を逸脱しない範囲内で種々なる態様にて実施できることはもちろんである。
例えば、γ値判定のための階調パターンとして、実施例では、Ｙｄ＝０〜２５５の第１の階調パターンと、Ｙｄ＝２５５〜０の第２の階調パターンとを用いていたが、Ｙｄ＝１０〜２５５の第１の階調パターンと、Ｙｄ＝２５５〜１０の第２の階調パターンの様に、全体に明るい側にずれたパターンを用いてもよい。これは、ＣＲＴの場合、表示特性関数及びその補正関数は数１，数２や数４で示した様に、一つのγ値で特定できることから、特性曲線のどの部分を用いて判定用画像を発生させても、結果は同じになるからである。また、Ｙｄ＝０，２，４，６，・・・２５４の様な飛び飛びの値を用いてもよい。
【００６９】
また、カラーモニタ付きのプリンタシステムではなく、階調表現可能なモノクロモニタ付きのプリンタシステムに対して本発明を適用することができることはもちろんである。
また、実施例では、特定したγ値の利用方法として、プリンタでの印刷時補正を説明したが、ディスプレイ２に対する表示特性の補正用に用いてもよいし、ディスプレイ表示画像とスキャナ読み込みデータとの整合性をとるために用いてもよく、その使用方法は限定されない。
【００７０】
さらに、印刷時補正のやり方も、γ値が決定できた段階で直ちに印刷補正用のルックアップテーブルを作成してしまい、これに基づいて印刷を実行するようにしてもよい。
また、γ値に基づいて、アプリケーション又はオペレーティングシステムからプリンタの印字制御部へ渡す前に印字データを補正してもよい。
【００７１】
加えて、実施例では、Ｒ＝Ｇ＝Ｂの場合を対象に表示特性関数を決定する方法を説明したが、Ｒ，Ｇ，Ｂの各々単独で表示特性関数を求める場合にも本発明を適用できることはもちろんである。
【図面の簡単な説明】
【図１】第１実施例のプリンタシステムの概略構成図である。
【図２】第１実施例におけるブラックポイント決定用の画面表示の説明図である。
【図３】第１実施例におけるブラックポイント決定プログラムの内容を示すフローチャートである。
【図４】第１実施例におけるγ値決定処理の考え方を示す説明図である。
【図５】第１実施例におけるγ値判定用画像の説明図である。
【図６】第１実施例におけるγ値判定方法の説明図である。
【図７】第１実施例におけるγ値決定プログラムの内容を示すフローチャートである。
【図８】第１実施例におけるγ値決定用の画面表示の説明図である。
【図９】第１実施例における印刷時補正プログラムの内容を示すフローチャートである。
【図１０】第２実施例における関数決定プログラムの内容を示すフローチャートである。
【図１１】一般的なＬＣＤの表示特性の説明図である。
【図１２】第２実施例におけるＳ５６０の処理内容の説明図である。
【図１３】第３実施例におけるＳ２７０の処理内容の説明図である。
【図１４】第４実施例におけるγ値決定プログラムの内容を示すフローチャートである。
【図１５】第５実施例におけるγ値決定プログラムの内容を示すフローチャートである。
【図１６】第５実施例におけるγ値決定用の画面表示の説明図である。
【図１７】第６実施例におけるγ値決定プログラムの内容を示すフローチャートである。
【図１８】第７実施例におけるγ値判定用画像の説明図である。
【図１９】第８実施例におけるγ値判定用画像の説明図である。
【図２０】第８実施例におけるγ値判定用画像表示プログラムの内容を示すフローチャートである。
【図２１】第８実施例に対する変形例のγ値判定用画像の説明図である。
【図２２】一般的なプリンタシステムの概略構成図である。
【図２３】一般的なＣＲＴの表示特性の説明図である。
【図２４】従来の表示特性関数決定方法の説明図である。
【符号の説明】
１・・・パーソナルコンピュータ、１ａ・・・アプリケーション、１ｂ・・・ディスプレイドライバ、１ｃ・・・プリンタドライバ、２・・・カラーディスプレイ、３・・・キーボード、４・・・マウス、５・・・ハードディスク、６・・・カラープリンタ、１０・・・ＢＰ判定画像、１１・・・比較輝度領域、１２・・・基準輝度領域、１３・・・スクロールバー、１３ａ・・・スライダ−、２０・・・第１の階調パターン、２１０  ，２１１  ，…，２１２５５  ・・・単位升目、３０・・・第２の階調パターン、３１０  ，３１１  ，…，３１２５５  ・・・単位升目、４０・・・γ値判定用画像、４１・・・スクロールバー、４１ａ・・・スライダ−。
【図１】
0003591129.tif 000008
【図２】
0003591129.tif 000009
【図３】
0003591129.tif 000010
【図４】
0003591129.tif 000011
【図５】
0003591129.tif 000012
【図６】
0003591129.tif 000013
【図７】
0003591129.tif 000014
【図８】
0003591129.tif 000015
【図９】
0003591129.tif 000016
【図１０】
0003591129.tif 000017
【図１１】
0003591129.tif 000018
【図１２】
0003591129.tif 000019
【図１３】
0003591129.tif 000020
【図１４】
0003591129.tif 000021
【図１５】
0003591129.tif 000022
【図１６】
0003591129.tif 000023
【図１７】
0003591129.tif 000024
【図１８】
0003591129.tif 000025
【図１９】
0003591129.tif 000026
【図２０】
0003591129.tif 000027
【図２１】
0003591129.tif 000028
【図２２】
0003591129.tif 000029
【図２３】
0003591129.tif 000030
【図２４】
0003591129.tif 000031